(57)【特許請求の範囲】
【請求項１】
ポンプ室と、前記ポンプ室とそれぞれ連通するインレット及びアウトレットとを有するポンプケースと、
放射状に配置された複数の羽根を有すると共に、前記複数の羽根の間に前記インレットから前記アウトレットへ液体を搬送する流路が形成され、前記ポンプ室に回転可能に収容されたインペラと、
前記インペラと一体に回転可能かつ軸方向に移動可能とされたロータと、
前記ロータの軸方向磁気中心線に対して軸方向にオフセットされた軸方向磁気中心線を有することにより前記ロータに対して軸方向一方側への吸引力を付与すると共に、通電時に前記ロータに回転磁界を形成するステータと、
前記ステータの非通電時に前記吸引力が前記ロータに作用することで前記インペラ及び前記ロータが軸方向一方側に移動した状態では、前記流路と前記アウトレットとの連通を遮断し、前記ステータの通電時に前記インペラの回転に伴い前記ポンプ室が陰圧になることで前記インペラ及び前記ロータが軸方向他方側に移動した状態では、前記流路と前記アウトレットとを連通させるバルブ構造部と、
を備える電動ウォータポンプ。
【請求項２】
前記バルブ構造部は、前記ポンプ室の周壁部に形成され前記ポンプ室と前記アウトレットとを連通する連通孔と、前記連通孔の縁部に形成された閉塞部とを有し、前記インペラ及び前記ロータが軸方向一方側に移動した状態では、前記流路を前記閉塞部が閉塞することで前記流路と前記アウトレットとの連通を遮断し、前記インペラ及び前記ロータが軸方向他方側に移動した状態では、前記連通孔を通じて前記流路と前記アウトレットとを連通させる、
請求項１に記載の電動ウォータポンプ。
【請求項３】
前記バルブ構造部は、前記ポンプ室の周壁部に形成され前記ポンプ室と前記アウトレットとを連通する連通孔と、前記インペラに形成された閉止部とを有し、前記インペラ及び前記ロータが軸方向一方側に移動した状態では、前記連通孔を前記閉止部が閉止することで前記流路と前記アウトレットとの連通を遮断し、前記インペラ及び前記ロータが軸方向他方側に移動した状態では、前記連通孔を通じて前記流路と前記アウトレットとを連通させる、
請求項１又は請求項２に記載の電動ウォータポンプ。
【請求項４】
ポンプ室と、前記ポンプ室とそれぞれ連通するインレット及びアウトレットとを有するポンプケースと、
放射状に配置された複数の羽根が設けられた第一カバーと、前記第一カバーに対して前記ポンプ室の軸方向に接離可能とされた第二カバーと、前記複数の羽根の間に形成され前記インレットから前記アウトレットへ液体を搬送する流路とを有し、前記ポンプ室に回転可能に収容されたインペラと、
前記第一カバーと一体に回転可能とされたロータと、
通電時に前記ロータに回転磁界を形成するステータと、
前記第二カバーに設けられると共に前記流路の出口に配置され、前記インペラの停止時に前記第二カバーが前記第一カバーに接近した状態では、前記流路の出口を閉止し、前記インペラの回転時に前記流路に流入する液体の圧力により前記第二カバーが前記第一カバーから離間された状態では、前記流路の出口を開放するバルブ構造部と、
を備える電動ウォータポンプ。
【発明の詳細な説明】
【技術分野】
【０００１】
本発明は、電動ウォータポンプに関する。
【背景技術】
【０００２】
従来、ポンプ室を有するポンプケースと、ポンプ室に回転可能に収容されたインペラと、インペラと一体回転可能に設けられたロータと、ロータに対して回転磁界を形成するステータとを備える電動ウォータポンプが知られている（例えば、特許文献１参照）。
【０００３】
このような電動ウォータポンプでは、ステータによって回転磁界が形成されると、ロータと共にインペラが回転し、ポンプケースに形成されたインレットからポンプ室に液体が吸入されると共に、この液体がポンプケースに形成されたアウトレットから吐出される。
【先行技術文献】
【特許文献】
【０００４】
【特許文献１】特許４０１１６５４号公報
【発明の概要】
【発明が解決しようとする課題】
【０００５】
ところで、このような電動ウォータポンプを用いたシステムにおいては、電動ウォータポンプの停止時に、電動ウォータポンプを通じて電動ウォータポンプの上流側から下流側に液体が流れないようにすることが望まれる場合がある。
【０００６】
このように電動ウォータポンプを通じて電動ウォータポンプの上流側から下流側に液体が流れないようにする技術としては、例えば、電動ウォータポンプの上流側と電動ウォータポンプのインレットとの間に電動バルブ等の駆動部を介在させることが考えられる。
【０００７】
しかしながら、このように電動バルブ等の駆動部を用いた場合には、部品点数が増加し、コストアップになる。したがって、電動バルブ等の駆動部を用いずに電動ウォータポンプの停止時にインレットからアウトレットへの液体の流れを制限できることが望まれる。
【０００８】
本発明は、上記課題に鑑みてなされたものであって、電動バルブ等の駆動部を用いずに電動ウォータポンプの停止時にインレットからアウトレットへの液体の流れを制限できるようにすることを目的とする。
【課題を解決するための手段】
【０００９】
請求項１に記載の電動ウォータポンプは、ポンプ室と、前記ポンプ室とそれぞれ連通するインレット及びアウトレットとを有するポンプケースと、放射状に配置された複数の羽根を有すると共に、前記複数の羽根の間に前記インレットから前記アウトレットへ液体を搬送する流路が形成され、前記ポンプ室に回転可能に収容されたインペラと、前記インペラと一体に回転可能かつ軸方向に移動可能とされたロータと、前記ロータの軸方向磁気中心線に対して軸方向にオフセットされた軸方向磁気中心線を有することにより前記ロータに対して軸方向一方側への吸引力を付与すると共に、通電時に前記ロータに回転磁界を形成するステータと、前記ステータの非通電時に前記吸引力が前記ロータに作用することで前記インペラ及び前記ロータが軸方向一方側に移動した状態では、前記流路と前記アウトレットとの連通を遮断し、前記ステータの通電時に前記インペラの回転に伴い前記ポンプ室が陰圧になることで前記インペラ及び前記ロータが軸方向他方側に移動した状態では、前記流路と前記アウトレットとを連通させるバルブ構造部と、を備える。
【００１０】
請求項１に記載の電動ウォータポンプでは、ステータの非通電時にステータの吸引力がロータに作用することでインペラ及びロータが軸方向一方側に移動する。そして、この状態では、インペラに設けられた複数の羽根の間の流路とアウトレットとの連通がバルブ構造部によって遮断される。一方、ステータの通電時には、インペラの回転に伴いポンプ室が陰圧になることでインペラ及びロータが軸方向他方側に移動し、この状態では、バルブ構造部によって複数の羽根の間の流路とアウトレットとが連通される。
【００１１】
ここで、請求項１に記載の電動ウォータポンプによれば、上述のように、ステータの非通電時には、ステータの吸引力がロータに作用することでインペラ及びロータが軸方向一方側に移動し、複数の羽根の間の流路とアウトレットとの連通がバルブ構造部によって遮断される。したがって、電動バルブ等の駆動部を用いずに電動ウォータポンプの停止時にインレットからアウトレットへの液体の流れを制限することができる。
【００１２】
請求項２に記載の電動ウォータポンプは、請求項１に記載の電動ウォータポンプにおいて、前記バルブ構造部が、前記ポンプ室の周壁部に形成され前記ポンプ室と前記アウトレットとを連通する連通孔と、前記連通孔の縁部に形成された閉塞部とを有し、前記インペラ及び前記ロータが軸方向一方側に移動した状態では、前記流路を前記閉塞部が閉塞することで前記流路と前記アウトレットとの連通を遮断し、前記インペラ及び前記ロータが軸方向他方側に移動した状態では、前記連通孔を通じて前記流路と前記アウトレットとを連通させる構成とされている。
【００１３】
請求項２に記載の電動ウォータポンプによれば、バルブ構造部は、ポンプ室の周壁部に形成された連通孔と、連通孔の縁部に形成された閉塞部とを有する簡単な構造であるので、コストアップを抑制することができる。
【００１４】
請求項３に記載の電動ウォータポンプは、請求項１又は請求項２に記載の電動ウォータポンプにおいて、前記バルブ構造部は、前記ポンプ室の周壁部に形成され前記ポンプ室と前記アウトレットとを連通する連通孔と、前記インペラに形成された閉止部とを有し、前記インペラ及び前記ロータが軸方向一方側に移動した状態では、前記連通孔を前記閉止部が閉止することで前記流路と前記アウトレットとの連通を遮断し、前記インペラ及び前記ロータが軸方向他方側に移動した状態では、前記連通孔を通じて前記流路と前記アウトレットとを連通させる構成とされている。
【００１５】
請求項３に記載の電動ウォータポンプによれば、バルブ構造部は、ポンプ室の周壁部に形成された連通孔と、インペラに形成された閉止部とを有する簡単な構造であるので、コストアップを抑制することができる。
【００１６】
請求項４に記載の電動ウォータポンプは、ポンプ室と、前記ポンプ室とそれぞれ連通するインレット及びアウトレットとを有するポンプケースと、放射状に配置された複数の羽根が設けられた第一カバーと、前記第一カバーに対して前記ポンプ室の軸方向に接離可能とされた第二カバーと、前記複数の羽根の間に形成され前記インレットから前記アウトレットへ液体を搬送する流路とを有し、前記ポンプ室に回転可能に収容されたインペラと、前記第一カバーと一体に回転可能とされたロータと、通電時に前記ロータに回転磁界を形成するステータと、前記第二カバーに設けられると共に前記流路の出口に配置され、前記インペラの停止時に前記第二カバーが前記第一カバーに接近した状態では、前記流路の出口を閉止し、前記インペラの回転時に前記流路に流入する液体の圧力により前記第二カバーが前記第一カバーから離間された状態では、前記流路の出口を開放するバルブ構造部と、を備える。
【００１７】
請求項４に記載の電動ウォータポンプでは、ステータが非通電でインペラが停止しているときには、第二カバーが第一カバーに接近した状態とされる。そして、この状態では、流路の出口がバルブ構造部により閉止される。一方、ステータが通電され、インペラが回転しているときには、流路に流入する液体の圧力により第二カバーが第一カバーから離間され、この状態では、流路の出口がバルブ構造部によって開放される。
【００１８】
ここで、請求項４に記載の電動ウォータポンプによれば、上述のように、ステータが非通電でインペラが停止しているときには、第二カバーが第一カバーに接近した状態とされ、流路の出口がバルブ構造部により閉止される。したがって、電動バルブ等の駆動部を用いずに電動ウォータポンプの停止時にインレットからアウトレットへの液体の流れを制限することができる。
【図面の簡単な説明】
【００１９】
【図１】本発明の第一実施形態に係る電動ウォータポンプの縦断面図であって、電動ウォータポンプの停止時の状態を示す図である。
【図２】図１に示される電動ウォータポンプの作動時の状態を示す図である。
【図３】本発明の第二実施形態に係る電動ウォータポンプの縦断面図であって、電動ウォータポンプの停止時の状態を示す図である。
【図４】図３に示される電動ウォータポンプの作動時の状態を示す図である。
【発明を実施するための形態】
【００２０】
［第一実施形態］
はじめに、本発明の第一実施形態について説明する。
【００２１】
図１，図２に示されるように、本発明の第一実施形態に係る電動ウォータポンプ１０は、ポンプケース１２と、モータハウジング１４と、インペラ１６と、ロータ１８と、ステータ２０と、バルブ構造部２２とを備える。なお、各図に示される矢印Ａ１，Ａ２は、各部の軸方向一方側及び他方側をそれぞれ示している。
【００２２】
ポンプケース１２は、ポンプ室２４と、ポンプ室２４とそれぞれ連通するインレット２６及びアウトレット２８とを有する。ポンプ室２４は、ポンプケース１２の軸方向視にて円形状に形成されており、ポンプケース１２の軸方向一方側に開口している。
【００２３】
インレット２６は、ポンプ室２４の軸方向他方側に配置され、ポンプ室２４の軸方向に延びている。インレット２６におけるポンプ室２４側には、ポンプ室２４内に突出する筒状の被接続部３０が形成されている。アウトレット２８は、ポンプ室２４の径方向外側に配置され、ポンプ室２４の接線方向に延びている。
【００２４】
モータハウジング１４は、ポンプケース１２の軸方向一方側に配置されている。このモータハウジング１４は、ポンプケース１２側に開口する有底筒状に形成されており、ポンプケース１２に組み付けられている。
【００２５】
インペラ１６は、第一カバー３２と、第二カバー３４と、複数の羽根３６とを有する。第二カバー３４は、第一カバー３２の軸方向他方側から第一カバー３２に組み付けられており、ネジ３８によって第一カバー３２に固定されている。複数の羽根３６は、第一カバー３２に設けられており、渦巻き放射状に配置されている。この複数の羽根３６の間には、インレット２６からアウトレット２８へ液体を搬送する流路４０が形成されている。
【００２６】
このインペラ１６は、ポンプ室２４に回転可能かつポンプ室２４の軸方向に移動可能に収容されている。図１では、インペラ１６がポンプ室２４の軸方向一方側に移動されており、図２では、インペラ１６がポンプ室２４の軸方向他方側に移動されている。第一カバー３２には、被接続部３０側に突出する筒状の接続部４２が形成されている。この接続部４２の内側には、被接続部３０が挿入されている。インペラ１６の内部に形成された流路４０は、被接続部３０及び接続部４２の内側を通じてインレット２６と連通される。
【００２７】
ロータ１８は、円柱状に形成されており、インペラ１６の軸方向一方側にインペラ１６と同軸上に配置されている。このロータ１８の外周部には、複数の磁極が形成されている。また、ロータ１８の軸芯部には、貫通孔４４が形成されており、この貫通孔４４には、シャフト４６が挿入されている。シャフト４６が貫通孔４４に挿入されることにより、ロータ１８は、シャフト４６に回転可能に支持されると共に、シャフト４６に対して軸方向に移動可能とされている。
【００２８】
このロータ１８は、インペラ１６と一体化されており、インペラ１６と一体に回転可能かつ軸方向に移動可能とされている。図１では、上述のインペラ１６と共にロータ１８が軸方向一方側に移動されており、図２では、上述のインペラ１６と共にロータ１８が軸方向他方側に移動されている。シャフト４６の軸方向一方側の端部は、モータハウジング１４の底部に設けられた固定部４８に固定されており、シャフト４６の軸方向他方側の端部には、ロータ１８の抜け防止のための抜止部５０が設けられている。
【００２９】
ステータ２０は、円環状に形成されており、ロータ１８の周囲に配置されている。ステータ２０の軸方向磁気中心線５２は、ロータ１８の軸方向磁気中心線５４に対してインペラ１６側と反対側にオフセットされている。ステータ２０の軸方向磁気中心線５２は、ステータ２０の軸方向における磁気バランスの中心を通る線であり、ロータ１８の軸方向磁気中心線５４は、ロータ１８の軸方向における磁気バランスの中心を通る線である。
【００３０】
そして、ステータ２０がロータ１８の軸方向磁気中心線５４に対して軸方向にオフセットされた軸方向磁気中心線５２を有することにより、常時、ステータ２０からロータ１８に対して軸方向一方側への吸引力が付与されるようになっている。また、このステータ２０は、通電時にロータ１８に回転磁界を形成する。なお、ロータ１８とステータ２０との間には、図示しないキャン（隔壁）が設けられている。
【００３１】
バルブ構造部２２は、連通孔５６と、閉塞部５８と、閉止部６０とを有する。連通孔５６は、ポンプ室２４の周壁部に形成されており、ポンプ室２４とアウトレット２８とを連通している。閉塞部５８は、連通孔５６の縁部（モータハウジング１４側の縁部）に形成されており、閉止部６０は、第二カバー３４の外周部に形成されている。このバルブ構造部２２の詳細については、後の電動ウォータポンプ１０の動作と併せて説明する。
【００３２】
続いて、本発明の第一実施形態に係る電動ウォータポンプ１０の動作について説明する。
【００３３】
図１に示されるように、ステータ２０の非通電時には、ステータ２０の吸引力がロータ１８に作用することでインペラ１６及びロータ１８が軸方向一方側（矢印Ａ１側）に移動した状態になる。この状態では、複数の羽根３６の間の流路４０とアウトレット２８との連通がバルブ構造部２２によって遮断される。
【００３４】
つまり、インペラ１６及びロータ１８が軸方向一方側に移動した状態では、流路４０の出口に閉塞部５８が対向することで流路４０が閉塞部５８によって閉塞されると共に、連通孔５６の入口に閉止部６０が対向することで連通孔５６が閉止部６０によって閉止される。そして、これにより、流路４０とアウトレット２８との連通が遮断される。
【００３５】
一方、図２に示されるように、ステータ２０の通電時には、ステータ２０によって回転磁界が形成されてロータ１８と共にインペラ１６が回転する。そして、インペラ１６の回転に伴いポンプ室２４が陰圧になることでインペラ１６及びロータ１８が軸方向他方側（矢印Ａ２側）に移動した状態となる。この状態では、バルブ構造部２２によって流路４０とアウトレット２８とが連通する。
【００３６】
つまり、インペラ１６及びロータ１８が軸方向他方側に移動した状態では、流路４０の出口に対して閉塞部５８がずれると共に、連通孔５６の入口に対して閉止部６０がずれた状態となり、かつ、流路４０の出口と連通孔５６の入口とが対向する。そして、これにより、連通孔５６を通じて流路４０とアウトレット２８とが連通される。
【００３７】
なお、図１，図２では、バルブ構造部２２の理解の容易のために、流路４０の出口及び閉止部６０を有するインペラ１６の外周部と、連通孔５６及び閉塞部５８を有するポンプ室２４の周壁部との間隔を誇張して図示してある。
【００３８】
次に、本発明の第一実施形態の作用及び効果について説明する。
【００３９】
以上詳述したように、本発明の第一実施形態に係る電動ウォータポンプ１０では、図１に示されるように、ステータ２０の非通電時にステータ２０の吸引力がロータ１８に作用することでインペラ１６及びロータ１８が軸方向一方側に移動する。そして、この状態では、インペラ１６に設けられた複数の羽根３６の間の流路４０とアウトレット２８との連通がバルブ構造部２２によって遮断される。一方、図２に示されるように、ステータ２０の通電時には、インペラ１６の回転に伴いポンプ室２４が陰圧になることでインペラ１６及びロータ１８が軸方向他方側に移動し、この状態では、バルブ構造部２２によって流路４０とアウトレット２８とが連通される。
【００４０】
ここで、本発明の第一実施形態に係る電動ウォータポンプ１０によれば、上述のように、ステータ２０の非通電時には、ステータ２０の吸引力がロータ１８に作用することでインペラ１６及びロータ１８が軸方向一方側に移動し、複数の羽根３６の間の流路４０とアウトレット２８との連通がバルブ構造部２２によって遮断される。したがって、電動バルブ等の駆動部を用いずに電動ウォータポンプ１０の停止時にインレット２６からアウトレット２８への液体の流れを制限することができる。これにより、電動ウォータポンプ１０の小型化、低コスト化、及び、低消費電力化を図ることができる。
【００４１】
また、本発明の第一実施形態に係る電動ウォータポンプ１０によれば、バルブ構造部２２は、ポンプ室２４の周壁部に形成された連通孔５６と、連通孔５６の縁部に形成された閉塞部５８と、インペラ１６に形成された閉止部６０とを有する簡単な構造であるので、コストアップを抑制することができる。
【００４２】
次に、本発明の第一実施形態の変形例について説明する。
【００４３】
上述の本発明の第一実施形態において、バルブ構造部２２は、ポンプ室２４の周壁部に形成された連通孔５６と、連通孔５６の縁部に形成された閉塞部５８と、インペラ１６に形成された閉止部６０とを有する。しかしながら、バルブ構造部２２から閉塞部５８及び閉止部６０のうちどちらか一方が省かれても良い。
【００４４】
また、上述の本発明の第一実施形態において、閉止部６０は、第二カバー３４の外周部に形成されているが、インペラ１６のうち第二カバー３４の外周部以外の場所に形成されても良い。
【００４５】
また、上述の本発明の第一実施形態において、インペラ１６は、第一カバー３２及び第二カバー３４を有するが、第二カバー３４が省かれた構造とされても良い。
【００４６】
［第二実施形態］
次に、本発明の第二実施形態について説明する。
【００４７】
図３，図４に示される本発明の第二実施形態に係る電動ウォータポンプ７０は、上述の第一実施形態に係る電動ウォータポンプ１０に対して、次のように構造が変更されている。
【００４８】
すなわち、インペラ１６の第二カバー３４は、第一カバー３２に対してポンプ室２４の軸方向に接離可能とされている。図３では、第二カバー３４が第一カバー３２に対して接近した（軸方向一方側に移動した）状態が示されており、図４では、第二カバー３４が第一カバー３２から離間した（軸方向他方側に移動した）状態が示されている。
【００４９】
第二カバー３４は、ネジ３８の軸部に沿って第一カバー３２に対する離間方向へ移動し、ネジ３８の頭部によって第一カバー３２に対して抜け止めされる。本発明の第二実施形態において、第二カバー３４は、接続部４２を有するが、ポンプケース１２からは、被接続部３０（図１，図２参照）が省かれている。
【００５０】
また、本発明の第二実施形態に係る電動ウォータポンプ７０は、第二カバー３４の外周部に設けられたバルブ構造部７２を有する。このバルブ構造部７２は、第二カバー３４の外周部から第一カバー３２側に延出する壁状に形成されており、流路４０の出口に配置されている。このバルブ構造部７２の詳細については、後の電動ウォータポンプ７０の動作と併せて説明する。
【００５１】
続いて、本発明の第二実施形態に係る電動ウォータポンプ７０の動作について説明する。
【００５２】
図３に示されるように、第二実施形態に係る電動ウォータポンプ７０は、鉛直方向を軸方向として配置される。そして、ステータ２０の非通電時には、インペラ１６が停止し、複数の羽根３６の間の流路４０に液体が流入しないので、流路４０に流体の圧力が作用せず、第二カバー３４がその自重により第一カバー３２に接近した状態となる。この状態では、流路４０の出口がバルブ構造部７２によって閉止され、流路４０とアウトレット２８との連通が遮断される。
【００５３】
一方、図４に示されるように、ステータ２０の通電時には、ステータ２０によって回転磁界が形成されてロータ１８と共にインペラ１６が回転する。そして、インペラ１６の回転に伴いインレット２６から流路４０に液体が流入し、流路４０が陽圧となる。そして、この流路４０に流入する液体の圧力により第二カバー３４が第一カバー３２から離間された状態となる。この状態では、バルブ構造部７２によって流路４０の出口が開放され、流路４０とアウトレット２８とが連通する。
【００５４】
なお、図３，図４では、バルブ構造部７２の理解の容易のために、流路４０の出口及びバルブ構造部７２を有するインペラ１６の外周部と、連通孔５６を有するポンプ室２４の周壁部との間隔を誇張して図示してある。
【００５５】
次に、本発明の第二実施形態の作用及び効果について説明する。
【００５６】
以上詳述したように、本発明の第二実施形態に係る電動ウォータポンプ７０では、図３に示されるように、ステータ２０が非通電でインペラ１６が停止しているときには、第二カバー３４が第一カバー３２に接近した状態とされる。そして、この状態では、流路４０の出口がバルブ構造部７２により閉止される。一方、図４に示されるように、ステータ２０が通電され、インペラ１６が回転しているときには、流路４０に流入する液体の圧力により第二カバー３４が第一カバー３２から離間され、この状態では、流路４０の出口がバルブ構造部７２によって開放される。
【００５７】
ここで、本発明の第二実施形態に係る電動ウォータポンプ７０によれば、上述のように、ステータ２０が非通電でインペラ１６が停止しているときには、第二カバー３４が第一カバー３２に接近した状態とされ、流路４０の出口がバルブ構造部７２により閉止される。したがって、電動バルブ等の駆動部を用いずに電動ウォータポンプ７０の停止時にインレット２６からアウトレット２８への液体の流れを制限することができる。これにより、電動ウォータポンプ７０の小型化、低コスト化、及び、低消費電力化を図ることができる。
【００５８】
また、本発明の第二実施形態に係る電動ウォータポンプ７０によれば、バルブ構造部７２は、第二カバー３４の外周部から第一カバー３２側に延出する壁状の簡単な構造であるので、コストアップを抑制することができる。
【００５９】
次に、本発明の第二実施形態の変形例について説明する。
【００６０】
上述の本発明の第二実施形態において、電動ウォータポンプ７０は、鉛直方向を軸方向として配置され、ステータ２０の非通電時には、第二カバー３４がその自重により第一カバー３２に接近する。しかしながら、例えば、第二カバー３４は、弾性部材等によって第一カバー３２側に付勢されることで、ステータ２０の非通電時に第一カバー３２に接近しても良い。また、この場合に、電動ウォータポンプ７０は、鉛直方向以外の方向を軸方向として配置されても良い。
【００６１】
以上、本発明の第一及び第二実施形態について説明したが、本発明は、上記に限定されるものでなく、上記以外にも、その主旨を逸脱しない範囲内において種々変形して実施可能であることは勿論である。
【符号の説明】
【００６２】
１０…電動ウォータポンプ、１２…ポンプケース、１４…モータハウジング、１６…インペラ、１８…ロータ、２０…ステータ、２２…バルブ構造部、２４…ポンプ室、２６…インレット、２８…アウトレット、３０…被接続部、３２…第一カバー、３４…第二カバー、３６…羽根、３８…ネジ、４０…流路、４２…接続部、４４…貫通孔、４６…シャフト、４８…固定部、５０…抜止部、５２，５４…軸方向磁気中心線、５６…連通孔、５８…閉塞部、６０…閉止部、７０…電動ウォータポンプ、７２…バルブ構造部
【図１】
0006551130.tif 000002
【図２】
0006551130.tif 000003
【図３】
0006551130.tif 000004
【図４】
0006551130.tif 000005